(57)【要約】【課題】各子局との間で無線により送受信を行うための送信手段及び受信手段を備えた無線親局において、各子局の有効性の確認をより迅速に行うことができるようにする。【解決手段】各子局との間で無線により送受信を行うための送信手段及び受信手段と、対象とする各子局の有効性を確認するための子局毎の確認用データであって、対応する子局の識別情報を含むものを前記送信手段により順次送信する手段と、対応する前記確認用データを受信したことに応答して各子局が送信するその識別情報を含む応答データを前記受信手段により順次受信する手段と、受信することができた前記応答データに対応する子局を有効なものとして登録する手段とを備えた無線親局（基地局）において、確認用データの順次の送信は連続的に行い、これと並行して、前記応答データの順次の受信を連続した受信待受け状態において行うようにする。【選択図】図４
2007088788.tif 000002
【特許請求の範囲】
【請求項１】
各子局との間で無線により送受信を行うための送信手段及び受信手段と、
対象とする各子局の有効性を確認するための子局毎の確認用データであって、対応する子局の識別情報を含むものを前記送信手段により順次送信する手段と、
対応する前記確認用データを受信したことに応答して各子局が送信するその識別情報を含む応答データを前記受信手段により順次受信する手段と、
受信することができた前記応答データに対応する子局を有効なものとして登録する手段とを備え、
前記確認用データの順次の送信は連続的に行い、これと並行して、前記応答データの順次の受信を連続した受信待受け状態において行うことを特徴とする無線親局。
【請求項２】
対応する前記応答データを受信することができなかった子局を対象として、再度、前記確認用データの送信及び応答データの受信を行うことを特徴とする請求項１に記載の無線親局。
【請求項３】
前記再度の確認用データの送信及び応答データの受信を行う回数を設定するための手段を有することを特徴とする請求項２に記載の無線親局。
【請求項４】
前記受信待受け状態は、前記確認用データの連続的な順次の送信における最後の確認用データの送信を完了した時点から、その最後の確認用データの送信に応答した前記応答データを受信することができたか否かを確認するに十分な所定時間の経過後に解除されることを特徴とする請求項１〜３のいずれか１項に記載の無線親局。
【請求項５】
各子局との間で無線により送受信を行うための送信手段及び受信手段を備えた無線親局により各子局の有効性を確認するためのポーリングを行う方法であって、
対象とする各子局の有効性を確認するための子局毎の確認用データであって、対応する子局の識別情報を含むものを前記送信手段により順次送信する工程と、
対応する前記確認用データを受信したことに応答して各子局が送信するその識別情報を含む応答データを前記受信手段により順次受信する工程と、
受信することができた前記応答データに対応する子局を有効なものとして登録する工程とを備え、
前記確認用データの順次の送信は連続的に行い、これと並行して、前記応答データの順次の受信を連続した受信待受け状態において行うことを特徴とするポーリング方法。
【発明の詳細な説明】
【技術分野】
【０００１】
本発明は、各子局の有効性を確認するためのポーリングを行う無線親局及び該ポーリングの方法に関する。
【背景技術】
【０００２】
図６は各子局の有効性を確認するために従来の基地局が行うポーリグの処理を示すフローチャートである。このポーリング処理は単信無線機を用いて行われる。処理を開始すると、基地局は、まず、ステップ６１において、有効性確認の対象となる子局のＩＤであって未確認の子局のものが存在するか否かを判定する。未確認の子局のＩＤが存在すると判定した場合には、ステップ６２へ進み、その子局の有効性の確認のために、その子局のＩＤデータを含む確認用データをその子局に送信する。その後、ステップ６３において受信状態に戻る。
【０００３】
次に、ステップ６４において、ステップ６２で送信した確認用データに対する当該子局からの応答の有無を判定する。この応答には当該子局のＩＤデータが含まれる。応答がなかったと判定した場合には、ステップ６５において所定の期間が経過したか否かを判定する。経過していないと判定した場合にはステップ６４に戻り、経過したと判定した場合にはステップ６１に戻る。
【０００４】
一方、ステップ６４において、当該子局からの応答があったと判定した場合には、ステップ６６において、当該子局のＩＤを有効ＩＤリストに追加する。その後、ステップ６１に戻る。有効ＩＤリストとは、有効に通信可能な子局のＩＤを示すリストである。
【０００５】
以上の処理を、確認対象の子局すべてについて有効性の確認を完了し、ステップ６１において未確認の子局のＩＤが存在しないと判定するまで行う。そして、未確認の子局のＩＤが存在しないと判定した場合には、図６の処理を終了する。
【０００６】
図５は図６のポーリング処理に際しての基地局及び各子局の処理のタイミングを示すタイミングチャートである。ｔは各子局における確認用データの受信から応答データの送信までに要する期間を示す。実線の矢印及び破線の矢印は送受信中の確認用データ及び応答データを示す。同図に示されるように、基地局からの各子局の確認用データの送信は順次行われるが、各子局毎に、その確認用データを送信した後、応答の受信の有無を確認してから、次の子局の確認用データを送信するようにしている。つまり、基地局においては、ポーリング処理の間、確認用データの送信及び応答の受信待受けが交互に繰り返し行われる。
【０００７】
なお、このようなポーリングに関連する技術として、特許文献１には、親機が各端末機のうちの特定のものを呼び出す場合、その端末機に固有の呼出信号を送出し、端末機からのＡＣＫ信号による応答を待機するという動作を所定周期で繰り返し行い、各端末機は所定のタイミングで受信を行い、自身に固有の呼出信号を受信したときにはＡＣＫ信号を送信するようにした通信技術が記載されている。
【０００８】
また、特許文献２には、基地局からの各移動局への順次のポーリングに応答し、各移動局が順次自局の情報を基地局に送信するようにした情報収集技術が記載されている。さらに、同文献には、各移動局を各地区又はグループに分け、各地区又はグループ毎にそこに属する各移動局に個別にタイムスロットを割り当てて、ポーリングは当該地区又はグループ毎に行い、各地区又はグループの各移動局はそのポーリングに対し、自局に割り当てられたタイムスロットにおいて基地局に応答することができるようにした技術も記載されている。
【０００９】
【特許文献１】特開昭５５−２００２４号公報
【特許文献２】特開平２−２３７２３０号公報
【発明の開示】
【発明が解決しようとする課題】
【００１０】
しかしながら、上述図６の従来技術によれば、ポーリングを行うとき、確認用データを送信（ステップ６２）した後、応答確認のための受信状態に移行する（ステップ６３）ようにしているので、送信及び受信の切替えのために、所定の時間を要する。さらに、１つの子局毎に応答を待ってから（ステップ６４、６５）確認用データを送信するようにしているので、１つの子局について有効性の確認を行うために、一定の時間を必要とする。したがって、各子局の有効性をすべて確認するには、比較的長時間を要する。
【００１１】
本発明の目的は、このような従来技術の問題点に鑑み、各子局との間で無線により送受信を行うための送信手段及び受信手段を備えた無線親局において、各子局の有効性の確認をより迅速に行うことができるようにすることにある。
【課題を解決するための手段】
【００１２】
上記目的を達成するため、第１の発明に係る無線親局は、各子局との間で無線により送受信を行うための送信手段及び受信手段と、対象とする各子局の有効性を確認するための子局毎の確認用データであって、対応する子局の識別情報を含むものを前記送信手段により順次送信する手段と、対応する前記確認用データを受信したことに応答して各子局が送信するその識別情報を含む応答データを前記受信手段により順次受信する手段と、受信することができた前記応答データに対応する子局を有効なものとして登録する手段とを備える。そして、前記確認用データの順次の送信は連続的に行い、これと並行して、前記応答データの順次の受信を連続した受信待受け状態において行うことを特徴とする。
【００１３】
ここで、無線親局及び子局としては、たとえば特定小電力無線機を用いて相互に通信を行うものが該当する。子局が有効であるとは、子局が親局に対して応答することができ、使用可能な状態にあることを意味する。
【００１４】
この構成において、各確認用データを送信手段により順次送信すると、受信待受け状態にある各子局はこれを順次受信してゆく。そして各子局は自己の識別情報を含む確認用データを受信すると、これに応答して応答データを送信する。このような応答データを無線親局は順次受信する。そして親局は、受信することができた応答データに対応する子局を有効なものとして登録する。
【００１５】
その際、確認用データの順次の送信は連続的に行われる。つまり、各確認用データの送信に対する子局からの応答データによる応答の有無を確認することなく、各確認用データは順次送信される。これと並行して、応答データの順次の受信も連続した受信待受け状態において行われる。したがって、各確認用データの送信に対する子局からの応答データによる応答の有無を確認してから次の確認用データの送信を行うようにしていた従来の場合に比べ、子局の有効性の確認を迅速に行うことができる。
【００１６】
第２の発明に係る無線親局は、第１発明において、対応する応答データを受信することができなかった子局を対象として、再度、確認用データの送信及び応答データの受信を行うことを特徴とする。
【００１７】
第３の発明に係る無線親局は、第２発明において、前記再度の確認用データの送信及び応答データの受信を行う回数を設定するための手段を有することを特徴とする。
【００１８】
第４の発明に係る無線親局は、第１〜第３のいずれかの発明において、応答データの順次の受信を連続して行うための受信待受け状態は、各確認用データの連続的な順次の送信における最後の確認用データの送信を完了した時点から、その最後の確認用データの送信に応答した前記応答データを受信することができたか否かを確認するに十分な所定時間の経過後に解除されることを特徴とする。
【００１９】
第５の発明に係るポーリング方法は、各子局との間で無線により送受信を行うための送信手段及び受信手段を備えた無線親局により各子局の有効性を確認するためのポーリングを行う方法に関する。このポーリング方法は、対象とする各子局の有効性を確認するための子局毎の確認用データであって、対応する子局の識別情報を含むものを前記送信手段により順次送信する工程と、対応する前記確認用データを受信したことに応答して各子局が送信するその識別情報を含む応答データを前記受信手段により順次受信する工程と、受信することができた前記応答データに対応する子局を有効なものとして登録する工程とを備える。そして、前記確認用データの順次の送信は連続的に行い、これと並行して、前記応答データの順次の受信を連続した受信待受け状態において行うことを特徴とする。
【発明の効果】
【００２０】
本発明によれば、確認用データの順次の送信は連続的に行い、これと並行して、応答データの順次の受信を連続した受信待受け状態において行うようにしたため、各子局の有効性の確認をより迅速に行うことができる。
【発明を実施するための最良の形態】
【００２１】
図１は本発明の一実施形態に係る基地局の構成を示すブロック図である。この基地局は複数の子局とともに、所定の通信システムを構成している。同図に示すように、基地局は、所定の周波数の搬送波を受信し復調して、音声信号を得る受信部１１、受信部１１が出力する音声信号を音波に変換して出力する音声出力部１２、入力される音波を音声信号に変換する音声入力部１３、音声入力部１３からの音声信号を変調して、前記周波数と異なる周波数の搬送波に載せ、アンテナを介して送信する送信部１４、必要な情報処理及び各部の制御を行う制御部１５、制御部１５による処理に必要な情報を記憶する記憶部１６、制御部１５の処理結果等を表示する表示部１７、制御部１５に対する操作入力を受け入れるための操作部１８を備える。
【００２２】
すなわちこの基地局は、受信部１１及び送信部１４が同時に送受信を行うことができる特定小電力無線機により構成されている。記憶部１６には有効性確認の対象となる子局の識別用のＩＤや有効性が確認された子局のＩＤが記憶される。
【００２３】
図２は図１の基地局によるポーリングにおける確認用データの送信処理を示すフローチャートである。この場合のポーリングは、対象となる各子局の有効性、つまり各子局が基地局に対して応答可能であるかどうかを確認するためのポーリングを意味する。このポーリングはシステムの起動時や、その後の所定の時間間隔毎に行われる。
【００２４】
処理を開始すると制御部１５は、まず、ステップ２１において、送信部１４を送信状態に移行させる。次に、ステップ２２において、記憶部１６に記憶されている有効性確認の対象となる子局のＩＤであって、その子局の有効性を確認するための確認用データが未送信のものが存在するか否かを判定する。各確認用データには対応する子局のＩＤ情報が含まれる。確認用データが未送信のＩＤが存在すると判定した場合には、ステップ２３へ進み、そのＩＤ情報を含む確認用データを送信する。その後、ステップ２２に戻る。
【００２５】
ステップ２２において、確認用データが未送信のＩＤが存在しないと判定した場合、ステップ２４において送信部１４の送信状態を解除し、送信待機状態に移行する。これにより、確認用データの送信処理を完了する。これによれば、有効性確認の対象となる各子局のＩＤすべてについて、認用データに対する子局からの応答の有無如何に関係なく、確認用データが順次、対応する子局に対し連続して送信されることになる。
【００２６】
各子局は単信方式の特定小電力無線機であり、基地局からの音声通信、データ通信、及びポーリングについての待受け状態にある。そして、基地局からの確認用データを受信すると、これに応答して、応答データの送信を行う。この応答データにはその子局のＩＤ情報が含まれている。基地局はこの応答データを受信したとき、応答データに含まれるＩＤの子局を有効であると認識することができる。
【００２７】
図３は図１の基地局によるポーリングにおける応答データの受信処理を示すフローチャートである。この処理は、図２の処理の開始と同時に開始され、図２の処理が終了した時点から所定時間が経過したときに終了する。所定時間としては、たとえば、最後に送信した確認用データに対し、対応する子局からの応答データを受信するに十分な期間を採用することができる。
【００２８】
応答データの受信処理を開始すると制御部１５は、まず、ステップ３１において、受信部１１による受信待受けを開始する。次に、ステップ３２において、有効性確認対象のいずれかの子局からの応答データを受信したか否かの判定を行う。応答データを受信しなかったと判定した場合にはステップ３３へ進み、受信したと判定した場合には、受信した応答データに含まれるＩＤをステップ３４において有効ＩＤリストに登録してからステップ３３へ進む。
【００２９】
ステップ３３では、上述の図２の処理が終了した時点からの所定時間が経過したか否かの判定を行う。経過していないと判定した場合にはステップ３２へ戻り、経過したと判定した場合には、ステップ３５において受信待受けを終了し、受信応答データの受信処理を完了する。この処理により、図２の処理で送信される各確認用データに対し、応答データを送信した子局のＩＤのみを登録した有効ＩＤリストを得ることができる。つまり有効ＩＤリストには、有効な子局のＩＤが登録されている。
【００３０】
なお、図２及び図３の処理の後、確認用データを送信した子局のうち応答がなかった子局については、再度、図２及び図３の処理と同様にして、確認用データの送信及び応答データの受信を行い、応答データを受信した場合には、含まれるＩＤを追加的に有効ＩＤリストに登録するようにしてもよい。
【００３１】
その際、再度の確認用データの送信及び応答データの受信は、ステップ２４における送信状態の解除やステップ３５における受信待受けの終了を行うことなく、引き続き連続して行い、送信状態の解除や受信待受けの終了は、再度の確認用データの送信及び応答データの受信が完了した時点で行うようにしてもよい。また、再度の確認用データの送信及び応答データの受信を行う回数は、操作部１８を介してユーザが予め設定できるようにし、設定回数を記憶部１６に記憶しておくようにしてもよい。
【００３２】
以上の図２及び図３処理により有効ＩＤリストは、システムの起動時や、その後の所定の時間間隔毎に更新されることになるが、有効ＩＤリストに登録されているＩＤは、対応する子局が各更新タイミングにおいて通信可能であることを示している。したがって、基地局からの子局への音声通話やデータ通信は、有効ＩＤリストにＩＤが登録されている子局を対象として行われることになる。
【００３３】
図４は基地局による図２及び図３の処理に従ったポーリングに際し、基地局及び各子局の処理タイミングを示すタイミングチャートである。ｔは各子局における確認用データの受信から応答データの送信までに要する期間を示す。実線の矢印及び破線の矢印は送受信中の確認用データ及び応答データを示す。同図に示されるように、基地局は、各確認用データの順次の送信を、図５の従来の場合と異なり、対応する子局毎の応答を待つことなく連続的に行い、かつこれと並行して、各子局からの応答データの順次の受信を連続した受信待受け状態において行う。
【００３４】
受信待受け状態は、確認用データの連続的な順次の送信における最後の確認用データの送信を完了した時点から、その最後の確認用データの送信に応答して子局から送信される応答データを受信することができたか否かを確認するに十分な所定時間Ｔの経過後に解除される。したがって、確認用データの送信及びこれに対する応答の受信待受けが交互に繰り返し行われる図５の従来の場合に比べ、短時間でポーリングを行うことができる。
【図面の簡単な説明】
【００３５】
【図１】本発明の一実施形態に係る基地局の構成を示すブロック図である。
【図２】図１の基地局によるポーリングにおける確認用データの送信処理を示すフローチャートである。
【図３】図１の基地局によるポーリングにおける応答データの受信処理を示すフローチャートである。
【図４】図１の基地局によるポーリングに際しての基地局及び各子局の処理タイミングを示すタイミングチャートである。
【図５】図６のポーリング処理に際しての基地局及び各子局の処理のタイミングを示すタイミングチャートである。
【図６】各子局の有効性を確認するために従来の基地局が行うポーリグの処理を示すフローチャートである。
【符号の説明】
【００３６】
１１：受信部、１２：音声出力部、１３：音声入力部、１４：送信部、１５：制御部、１６：記憶部、１７：表示部、１８：操作部。
【図１】
2007088788.tif 000003
【図２】
2007088788.tif 000004
【図３】
2007088788.tif 000005
【図４】
2007088788.tif 000006
【図５】
2007088788.tif 000007
【図６】
2007088788.tif 000008